(57)【要約】【課題】３Ｇのような携帯電話を利用したＷＡＮの高速通信の集中を緩和すると共にインターネットの不正利用を阻止する。【解決手段】第２携帯電話機４が無線基地局１３の通信可能なエリアに存在し、無線ＬＡＮ通信部６が接続待ちであり、第１携帯電話機１の無線電話通信部２がインターネット１８に接続されず、第１携帯電話機１の所持者が無線ＬＡＮ通信部６からの接続待ちの告知に基づき無線ＬＡＮ通信部３からインターネット１８を経由するＩＳＰ１９への接続を発信し、この発信を無線ＬＡＮ通信部６が受信するのに伴い、無線電話通信部５が第２通信網１２から第１通信網８にユーザー認証を打診し、通信に対する契約の成立している認証結果が第２通信網１２に通知されると、第２通信網１２がＩＳＰ１９から取得したデータを第２携帯電話機４の無線電話通信部５から無線ＬＡＮ通信部６及び無線ＬＡＮ通信部３を経由して第１携帯電話機１に送信する。【選択図】図１
2013223182.tif 000002
【特許請求の範囲】
【請求項１】
無線電話通信部と、無線ＬＡＮ通信部と、無線電話通信部と無線ＬＡＮ通信部とのどちらを優先的に使用可能にするかを設定する無線ＬＡＮ設定手段とを備えたことを特徴とする携帯通信機器。
【請求項２】
一人に所持されて無線電話通信部と無線ＬＡＮ通信部とを備えた第１携帯通信機器と、一人に周囲に居る別人に所持されて無線電話通信部と無線ＬＡＮ通信部と無線ＬＡＮ設定手段と備えた第２携帯通信機器とを備えた無線通信装置であって、第２携帯通信機器が第２携帯通信機器に対する第２通信網における無線基地局の通信可能なエリアに存在し、その第２携帯通信機器の無線ＬＡＮ通信部が使用可能に設定されて通信の待ち受け状態になっており、第１携帯通信機器の無線ＬＡＮ通信部から発信された通信を上記第２携帯通信機器の通信の待ち受け状態になった無線ＬＡＮ通信部が受信すると、第２携帯通信機器の無線電話通信部が第２通信網から第１携帯通信機器に対する第１通信網にユーザー認証を打診し、その第１通信網の通信に対する契約の成立している認証結果が第１通信網から第２通信網に通知されると、第２通信網がインターネットサービスプロバイダーから取得したデータを第２携帯通信機器から第１携帯通信機器に送信することを特徴とする無線通信装置。
【発明の詳細な説明】
【技術分野】
【０００１】
本発明は、携帯通信機器に関する一方、一人の所持される携帯通信機器の無線ＬＡＮ通信部から発信される通信を一人の周囲に居る別人に所持される携帯通信機器の無線ＬＡＮ通信部が中継してインターネットに接続する無線通信装置に関する。
【背景技術】
【０００２】
近年、スマートフォン（多機能携帯電話機）の普及により、３Ｇのような携帯電話を利用したＷＡＮの高速通信が接続されにくい状況が発生してきている。このようなことから、特許文献１で開示された携帯通信機器に搭載した無線ＬＡＮ通信部としての無線ＬＡＮアクセスポイントを、周囲に居る他の所有者に開放して高速通信の集中を緩和することが考えられる。しかしながら、特許文献１で開示された携帯通信機器は、特許文献１の段落００８３乃至００９５並びに図９のステップＳ２及びステップＳ５に示すように、接続を要求してきた携帯通信機器のＭＡＣアドレスが無線ＬＡＮアクセスポイントに所有者の携帯通信機器のＭＡＣアドレスとして登録されているＭＡＣアドレスでない場合でも、上記接続を要求してきた携帯通信機器をインターネットに接続する構成である。このため、接続を要求してきた携帯通信機器が接続を要求してきた携帯通信機器に対する公衆電話網を運営する通信事業者と契約が成立していない場合でもインターネットを不正に利用することができるという欠点がある。尚、ＭＡＣアドレスは、ネットワーク上で、ＬＡＮカード等のネットワーク機器のハードウェアを識別するために、当該ハードウェアに一意に割り当てられた物理アドレスである。
【先行技術文献】
【特許文献】
【０００３】
【特許文献１】特開２００６‐５８２４号公報
【発明の概要】
【発明が解決しようとする課題】
【０００４】
本発明は、上記背景技術に鑑みてなされたものであり、３Ｇのような携帯電話を利用したＷＡＮの高速通信の集中を緩和すると共にインターネットの不正利用を阻止することを目的とする。
【課題を解決するための手段】
【０００５】
本発明は、無線電話通信部と、無線ＬＡＮ通信部と、無線電話通信部と無線ＬＡＮ通信部とのどちらを優先的に使用可能にするかを設定する無線ＬＡＮ設定手段とを備えたことを特徴とする携帯通信機器であるか、又は、一人に所持されて無線電話通信部と無線ＬＡＮ通信部とを備えた第１携帯通信機器と、一人に周囲に居る別人に所持されて無線電話通信部と無線ＬＡＮ通信部と無線ＬＡＮ設定手段と備えた第２携帯通信機器とを備えた無線通信装置であって、第２携帯通信機器が第２携帯通信機器に対する第２通信網における無線基地局の通信可能なエリアに存在し、その第２携帯通信機器の無線ＬＡＮ通信部が使用可能に設定されて通信の待ち受け状態になっており、第１携帯通信機器の無線ＬＡＮ通信部から発信された通信を上記第２携帯通信機器の通信の待ち受け状態になった無線ＬＡＮ通信部が受信すると、第２携帯通信機器の無線電話通信部が第２通信網から第１携帯通信機器に対する第１通信網にユーザー認証を打診し、その第１通信網の通信に対する契約の成立している認証結果が第１通信網から第２通信網に通知されると、第２通信網がインターネットサービスプロバイダーから取得したデータを第２携帯通信機器から第１携帯通信機器に送信することを特徴とする無線通信装置である。
【発明の効果】
【０００６】
本発明は、一人に所持される第１携帯通信機器の無線ＬＡＮ通信部から発信された通信を一人の周囲に居る別人に所持される第２携帯通信機器の通信の待ち受け状態になった無線ＬＡＮ通信部が受信すると、第２携帯通信機器の無線電話通信部が第２携帯通信機器に対する第２通信網から第１携帯通信機器に対する第１通信網にユーザー認証を打診し、その第１通信網の通信に対する契約の成立している認証結果が第１通信網から第２通信網に通知されると、第２通信網がインターネットサービスプロバイダーから取得したデータを第２携帯通信機器から第１携帯通信機器に送信するので、第１携帯通信機器における携帯電話を利用したＷＡＮの高速通信が集中するのを緩和する一方、第１通信網の通信に対する契約が成立していない場合における第１携帯通信機器から第２携帯通信機器を経由するインターネットの不正利用を阻止することができるという効果がある。
【図面の簡単な説明】
【０００７】
【図１】実施の形態に係る通信装置を示す模式図。
【図２】実施の形態に係る通信装置に用いられる第１携帯電話機を示す構成図。
【図３】実施の形態に係る通信装置に用いられる第２携帯電話機を示す構成図。
【図４】実施の形態に係る第２携帯電話機での通信処理を示すフローチャート。
【図５】実施の形態に係る通信装置の通信工程を示す工程図。
【発明を実施するための形態】
【０００８】
図１を参照し、実施の形態に係る通信装置について説明する。別々の人どうしで所持される無線電話通信部と無線ＬＡＮ通信部とを備えた携帯通信機器として、第１・第２携帯電話機１；４を例示する。第１・第２携帯電話機１；４は、ＰＨＳ（Personal Handy-phone System）で使用可能な携帯電話機やそれ以外の通信システムで使用可能な携帯電話機又はスマートフォンの何れかにより構成される。第１携帯電話機１が３Ｇのような高速通信可能な無線電話通信部２と無線ＬＡＮ通信部３とを備え、第２携帯電話機４が無線電話通信部５と無線ＬＡＮ通信部６と無線ＬＡＮ設定手段７とを備えている。
【０００９】
実施の形態では、一人に所持される携帯通信機器を第１携帯電話機１と称し、第１携帯電話機１を所持する一人の周囲に居る別人に所持される携帯通信機器を第２携帯電話機４と称する。第１・第２携帯電話機１；４が無線ＬＡＮ通信部３；６によりＷｉ‐Ｆｉ（登録商標）のような通信速度の速い高速通信でデータのやり取りを行えるようになっている。
【００１０】
第１携帯電話機１では、無線電話通信部２が所持する人の操作に基づきインターネット１８を経由してＩＳＰ１９に発信を行った際にインターネット１８に接続されない場合、つまり、無線電話通信部２によるＷＡＮの通信がインターネット１８に接続されない場合であり、第１携帯電話機１が第２携帯電話機４の通信待ちの状態になった無線ＬＡＮ通信部６の通信の可能な距離内に居る場合には、上記無線電話通信部２によるＷＡＮの通信がインターネット１８に接続されない旨及び第１携帯電話機１が第２携帯電話機４の通信待ちの状態になった無線ＬＡＮ通信部６の通信の可能な距離内に居る旨を第１携帯電話機１が第１携帯電話機１を所持する人に告知し、その告知を認識した第１携帯電話機１を所持する人が第１携帯電話機１を操作することにより、無線ＬＡＮ通信部３が上記無線電話通信部２によるインターネット１８への接続に代替してインターネット１８への接続を発信するようになっている。尚、ＩＳＰ１９は、Internet Service Providerの略号であり、インターネット１８のサービスプロバイダーつまりインターネット接続事業者である。
【００１１】
第２携帯電話機４では、所持する人が第２携帯電話機４の無線ＬＡＮ設定手段７を操作することにより、無線電話通信部５と無線ＬＡＮ通信部６とのどちらを優先的に使用可能にするかの設定を行なうようになっており、無線電話通信部５が使用可能に設定された場合には無線ＬＡＮ通信部６による通信を行うことができないようになり、無線ＬＡＮ通信部６が使用可能に設定された場合には無線電話通信部５が無線ＬＡＮ通信部６を経由するデータ通信を行うだけで第２携帯電話機４を所持する人の操作による通信をできないようになる。
【００１２】
又、第１携帯電話機１で利用される第１通信網８と第２携帯電話機４で利用される第２通信網１２とは、互いに経営の異なる通信事業者により運営される別々の公衆電話網である。第１通信網８は、無線基地局９と制御局１０と管理サーバー１１とを備える。第２通信網１２は、無線基地局１３と制御局１４と管理サーバー１５とを備える。
【００１３】
ここで、第２携帯電話機４が無線ＬＡＮ通信部６を使用可能に設定されて無線ＬＡＮ通信部６による通信を待ち受ける状態でありかつ無線基地局１３の通信可能な位置登録エリアに存在、つまり通信可能な圏内に存在している場合において、第１携帯電話機１と第２携帯電話機４とが互いに無線ＬＡＮ通信部３；６による通信の可能な距離内に存在した状態において、第１携帯電話機１が無線ＬＡＮ通信部３による通信を発信した場合について説明する。
【００１４】
無線電話通信部２がインターネット１８を経由してＩＳＰ１９に発信を行った際にインターネット１８に接続されない場合において、第１携帯電話機１を所持する人が第１携帯電話機１による第２携帯電話機４の通信待ちの状態になった無線ＬＡＮ通信部６の通信の可能な距離内に居る旨の告知に基づき第１携帯電話機１を操作し、無線ＬＡＮ通信部３が上記無線電話通信部２によるインターネット１８への接続に代替してインターネット１８への接続を発信すると、第１携帯電話機１の無線ＬＡＮ通信部３から発信された通信に対して第２携帯電話機４の無線ＬＡＮ通信部６が無線ＬＡＮアクセスポイントとして機能して、無線ＬＡＮ通信部３と無線ＬＡＮ通信部６との通信経路１６が形成され、無線ＬＡＮ通信部６が無線ＬＡＮ通信部３から発信された通信を受信して無線電話通信部５に送信する。それに伴い、第２携帯電話機４の無線電話通信部５が受信した第１携帯電話機１の無線ＬＡＮ通信部３からの通信に対するユーザー認証にＡＰＮを付して発信して、無線電話通信部５と無線基地局１３との通信経路１７が形成される。ＡＰＮは、Access Point Nameの略号であり、携帯情報端末機や携帯電話機等の携帯通信機器を携帯電話ネットワークに接続してデータ通信を行う際に必要となる、接続先を指定する文字列である。
【００１５】
この第２携帯電話機４から発信されたユーザー認証及びＡＰＮは、第２通信網１２の無線基地局１３から制御局１４及びインターネット１８を経由して第１通信網８の制御局１０に送信される。第１通信網８の制御局１０は、受信したユーザー認証を管理サーバー１１に確認し、その確認した認証結果をインターネット１８により第２通信網１２の制御局１４に通知する。この受信した認証結果として第１携帯電話機１と第１通信網８を運営する通信業者との通信に対する契約が成立していない場合には、第２通信網１２の制御局１４は通信解除の通知を無線基地局１３から第２携帯電話機４に発信する。この通信解除の通知を受信した第２携帯電話機４は無線電話通信部５と無線基地局１３との通信経路１７を遮断すると共に無線ＬＡＮ通信部３と無線ＬＡＮ通信部６との通信経路１６を遮断して無線ＬＡＮ通信部６を通信の待ち受け状態に戻す。
【００１６】
上記受信した認証結果として第１携帯電話機１と第１通信網８を運営する通信業者との通信に対する契約が成立している場合には、第２通信網１２の制御局１４は上記第１携帯電話機１から発信された無線ＬＡＮ通信部３による通信に基づきインターネット１８を経由してＩＳＰ１９と通信を行ってＩＳＰ１９から取得したデータを無線基地局１３から第２携帯電話機４に発信し、第２携帯電話機４の無線電話通信部５が無線基地局１３から発信されたデータを受信する。このＩＳＰ１９からのデータを受信した第２携帯電話機４は当該ＩＳＰ１９からのデータを無線電話通信部５から無線ＬＡＮ通信部６に送信して無線ＬＡＮ通信部６から第１携帯電話機１の無線ＬＡＮ通信部３に送信した後、第２携帯電話機４が無線電話通信部５と無線基地局１３との通信経路１７を遮断すると共に無線ＬＡＮ通信部３と無線ＬＡＮ通信部６との通信経路１６を遮断して無線ＬＡＮ通信部６を通信の待ち受け状態に戻す。
【００１７】
上記のように、図１の電話装置では、第２携帯電話機４が無線ＬＡＮ通信部６を使用可能に設定されて無線ＬＡＮ通信部６による通信を待ち受ける状態でありかつ無線基地局１３の通信可能な位置登録エリアに存在、つまり通信可能な圏内に存在している場合において、第２携帯電話機４の周囲で無線ＬＡＮ通信部６による通信の受信可能な範囲に居る第１携帯電話機１を所持する人が第１携帯電話機１を操作して、無線電話通信部２がインターネット１８を経由してＩＳＰ１９に発信を行った際にインターネット１８に接続されない場合には、無線ＬＡＮ通信部３が上記無線電話通信部２によるインターネット１８への接続に代替してインターネット１８への接続を発信する。すると、第２携帯電話機４の無線ＬＡＮ通信部６が無線ＬＡＮアクセスポイントとして機能して上記第１携帯電話機１の無線ＬＡＮ通信部３から発信された通信を受信し、それに伴い、第２携帯電話機４の無線電話通信部５が第２通信網１２から第１通信網８にユーザー認証を打診する。そして、第１通信網８から第１携帯電話機１と第１通信網８を運営する通信業者との通信に対する契約の成立している認証結果が第２通信網１２に通知された場合にだけ、第２通信網１２がＩＳＰ１９から取得したデータを第２携帯電話機４より第１携帯電話機１に送信するので、第１携帯電話機１の無線電話通信部２による携帯電話を利用したＷＡＮの高速通信が集中するのを緩和する一方、第１携帯電話機１と第１通信網８を運営する通信事業者との通信に対する契約が成立していない場合における第１携帯電話機１から第２携帯電話機４を無線ＬＡＮアクセスポイントとして中継するインターネット１８の不正利用を阻止することができる。
【００１８】
図２を参照し、実施の形態に係る第１携帯電話機１の構成について説明する。第１携帯電話機１は、図外の携帯可能な容器に、無線電話通信部２、無線ＬＡＮ通信部３、バッテリー２１、電源スイッチ２２、マイクロホン２３、スピーカー２４、キーボード２５、ディスプレイ２６、フラッシュメモリー２７、制御部２８を備える。
【００１９】
無線電話通信部２は、電源スイッチ２２が電源オンになり、バッテリー２１からの電力で動作した制御部２８の制御に基づき図外のアンテナを経由して図１に示す第１通信網８の無線基地局９と無線通信を行うものであって、通話機能とデータ通信機能とを備えた構成である。通話機能は、音声により通話する機能であり、例えば、一方の通話者が「もしもし」という言葉を発するのに対し、他方の通話者が「はいはい」という言葉で応じて会話することができる機能である。データ通信機能は、文字や記号あるいは画像（静止画像、動画像、またはそれら両方の画像）を表現する情報を双方向に送受信する機能である。図２に戻り、無線ＬＡＮ通信部３は、Ｗｉ‐Ｆｉ（登録商標）を利用した無線ＬＡＮにより文字や記号あるいは画像（静止画像、動画像、またはそれら両方の画像）を表現する情報をやり取りするものである。尚、無線電話通信部２としてはデータ通信機能だけを備えたものでも適用可能であり、無線電話通信部２をデータ通信機能だけを備えたもとして構成した場合にはマイクロホン２３及びスピーカー２４は設けなくてもよい。
【００２０】
無線ＬＡＮ通信部３と図１の第１通信網８との間における情報のやり取りは、制御部２８の制御に基づき無線電話通信部２のデータ通信機能の中継により図外のアンテナと図１の無線基地局９との間でやり取りされる。図２に戻り、バッテリー２１は、第１携帯電話機１に搭載された電気部品に直流の電力を供給する電池により構成される。電源スイッチ２２は、人の操作により電源を入り切りする。電源スイッチ２２が人の操作により電源オンになると、バッテリー２１が第１携帯電話機１の携帯可能な容器に搭載された全ての電気部品に電力を供給する。又、電源スイッチ２２が人の操作により電源オフになると、バッテリー２１がカレンダー機能等のような動作を維持する必要のある電気部品以外の電気部品への電力を遮断する。
【００２１】
マイクロホン２３は、制御部２８に対する入力機器であり、音声や音を集音して電気信号に変換して制御部２８に出力する。スピーカー２４は、制御部２８に対する出力機器であり、制御部２８から出力された電気信号を音声や音に変換して出力する。キーボード２５は、制御部２８の入力機器を構成する多数のキーを備える。キーボード２５における多数のキーとしては、置数キー、電源スイッチ２２、オフフックスイッチ（発信スイッチと同義語）、オンフックスイッチ（発信停止スイッチと同義語）、ファンクションキーなどである。
【００２２】
ディスプレイ２６は、制御部２８に対する出力機器であり、第１携帯電話機１を操作する人に制御部２８から出力された情報を文字や記号あるいは画像に変換して可視化させる機器である。第１携帯電話機１では、無線電話通信部２が所持する人の操作に基づきインターネット１８を経由してＩＳＰ１９に発信を行った際にインターネット１８に接続されない場合であり、第１携帯電話機１が第２携帯電話機４の通信待ちの状態になった無線ＬＡＮ通信部６の通信の可能な距離内に居る場合には、上記無線電話通信部２によるＷＡＮの通信がインターネット１８に接続されない旨及び第１携帯電話機１が第２携帯電話機４の通信待ちの状態になった無線ＬＡＮ通信部６の通信の可能な距離内に居る旨をディスプレイ２６やスピーカー２４で第１携帯電話機１を所持する人に告知し、その告知を認識した第１携帯電話機１を所持する人がキーボード２５のファンクションキー等の特定のキーを操作することにより、無線ＬＡＮ通信部３が上記無線電話通信部２によるインターネット１８への接続に代替してインターネット１８への接続を発信するようになっている。フラッシュメモリー２７は、制御部２８に対する入出力機器であり、制御部２８の制御に基づき電話帳や通信履歴などの情報を記録する記録媒体である。制御部２８は、ＣＰＵ２９、ＲＯＭ３０、ＲＡＭ３１を備える。ＣＰＵ２９は、ＲＯＭ３０に格納されたプログラムにしたがいＲＡＭ３１に記憶されている情報を使用しながら動作して第１携帯電話機１の各電気部品の動作を制御するものである。
【００２３】
図３を参照し、実施の形態に係る第２携帯電話機４の構成について説明する。第２携帯電話機４は、図外の携帯可能な容器に、無線電話通信部５、無線ＬＡＮ通信部６、バッテリー４１、電源スイッチ４２、マイクロホン４３、スピーカー４４、キーボード４５、ディスプレイ４６、フラッシュメモリー４７、制御部４８を備える。
【００２４】
無線電話通信部５は、電源スイッチ４２が電源オンになり、バッテリー４１からの電力で動作した制御部４８の制御に基づき図外のアンテナを経由して図１に示す第２通信網１２の無線基地局１３と無線通信を行うものであって、通話機能とデータ通信機能とを備えた構成である。通話機能は、音声により通話する機能であり、例えば、一方の通話者が「もしもし」という言葉を発するのに対し、他方の通話者が「はいはい」という言葉で応じて会話することができる機能である。データ通信機能は、文字や記号あるいは画像（静止画像、動画像、またはそれら両方の画像）を表現する情報を双方向に送受信する機能である。図３に戻り、無線ＬＡＮ通信部６は、Ｗｉ‐Ｆｉ（登録商標）を利用した無線ＬＡＮにより文字や記号あるいは画像（静止画像、動画像、またはそれら両方の画像）を表現する情報をやり取りするものである。尚、無線電話通信部５としてはデータ通信機能だけを備えたものでも適用可能であり、無線電話通信部５をデータ通信機能だけを備えたもとして構成した場合にはマイクロホン４３及びスピーカー４４は設けなくてもよい。
【００２５】
無線ＬＡＮ通信部６と図１の第２通信網１２との間における情報のやり取りは、制御部４８の制御に基づき無線電話通信部５のデータ通信機能の中継により図外のアンテナと図１の無線基地局１３との間でやり取りされる。図３に戻り、バッテリー４１は、第２携帯電話機４に搭載された電気部品に直流の電力を供給する電池により構成される。電源スイッチ４２は、人の操作により電源を入り切りする。電源スイッチ４２が人の操作により電源オンになると、バッテリー４１が第２携帯電話機４の携帯可能な容器に搭載された全ての電気部品に電力を供給する。又、電源スイッチ４２が人の操作により電源オフになると、バッテリー４１がカレンダー機能等のような動作を維持する必要のある電気部品以外の電気部品への電力を遮断する。
【００２６】
マイクロホン４３は、制御部４８に対する入力機器であり、音声や音を集音して電気信号に変換して制御部４８に出力する。スピーカー４４は、制御部４８に対する出力機器であり、制御部４８から出力された電気信号を音声や音に変換して出力する。キーボード４５は、制御部４８の入力機器を構成する多数のキーを備える。キーボード４５における多数のキーとしては、置数キー、電源スイッチ４２、オフフックスイッチ（発信スイッチと同義語）、オンフックスイッチ（発信停止スイッチと同義語）、ファンクションキーなどである。ディスプレイ４６は、制御部４８に対する出力機器であり、第２携帯電話機４を操作する人に制御部４８から出力された情報を文字や記号あるいは画像に変換して可視化させる機器である。フラッシュメモリー４７は、制御部４８に対する入出力機器であり、制御部４８の制御に基づき電話帳や通信履歴などの情報を記録する記録媒体である。
【００２７】
制御部４８は、ＣＰＵ４９、ＲＯＭ５０、ＲＡＭ５１、無線ＬＡＮ設定手段７を備える。ＣＰＵ４９は、ＲＯＭ５０に格納されたプログラムにしたがいＲＡＭ５１に記憶されている情報を使用しながら動作して第１携帯電話機１の各電気部品の動作を制御するものである。無線ＬＡＮ設定手段７は、ＣＰＵ４９の動作で具現化されものであり、第２携帯電話機４を所持する人の操作をきっかけとするＣＰＵ４９の働きにより、無線電話通信部５と無線ＬＡＮ通信部６とのどちらを優先的に使用可能にするかを制御部４８に設定する。無線ＬＡＮ設定手段７により、無線電話通信部５が使用可能に制御部４８に設定された場合には制御部４８が無線ＬＡＮ通信部６による通信をできないように無線ＬＡＮ通信部６の動作を禁止し、無線ＬＡＮ通信部６が使用可能に制御部４８設定された場合には制御部４８が無線ＬＡＮ通信部６のデータ通信に対する無線電話通信部５によるデータ通信の中継だけをできるようにデータ通信機能の動作を可能にすると共に通話ができないように通話機能の動作を禁止する。
【００２８】
図４を参照し、実施の形態に係る第２携帯電話機４の通信処理について説明する。図４の説明において、第１・２通信網の構成要素ついては図１を、第１・第２携帯電話機１；４の構成要素については図１乃至図３を参照されたい。図４の通信処理は、第２携帯電話機４の電源スイッチ４２が人の操作により電源オンになり、バッテリー４１から全ての電気部品に電力が供給され、ＲＯＭ５０のファームプログラムの起動が完了し、第２携帯電話機４が無線基地局１３の通信可能な圏内に存在しており、第２携帯電話機４を所持する人が第２携帯電話機４のキーボード４５を操作して、第２携帯電話機４が無線ＬＡＮ通信部６による通信を可能に設定されている場合において、第２携帯電話機４の無線ＬＡＮ通信部６が外部の携帯電話機としての例えば第１携帯電話機１の無線ＬＡＮ通信部３からのアクセスを検出すると、第２携帯電話機４の無線電話通信部５が第１通信網８にユーザー認証を打診し、第１携帯電話機１における第１通信網８の通信に対する契約の成立している場合だけ、第１携帯電話機１を第２携帯電話機４の無線ＬＡＮ通信部６と無線電話通信部５及びインターネット１８を経由してＩＳＰ１９に接続する。
【００２９】
一方、第２携帯電話機４の電源スイッチ４２が人の操作により電源オンになり、バッテリー４１から全ての電気部品に電力が供給され、ＲＯＭ５０のファームプログラムの起動が完了し、第２携帯電話機４が無線基地局１３の通信可能な圏内に存在していても、第２携帯電話機４を所持する人が第２携帯電話機４のキーボード４５を操作して、第２携帯電話機４が無線電話通信部５による通信を可能に設定されている場合には、第２携帯電話機４の無線ＬＡＮ通信部６が外部の携帯電話機としての例えば第１携帯電話機１の無線ＬＡＮ通信部３からのアクセスを検出することはなく、第２携帯電話機４の無線電話通信部５による音声通信及びデータ通信だけが行える。
【００３０】
図４において、ファームプログラムの起動が完了しなければ、ステップ１０１での判断がＮＯになり、ステップ１０１に戻る。ファームプログラムの起動が完了すると、ステップ１０１での判断がＹＥＳになり、ステップ１０２に進む。ステップ１０２では、通信を待ち受ける状態になり、ステップ１０３に進む。ステップ１０３では、無線ＬＡＮ通信が設定されているかを判断する。第２携帯電話機４が無線ＬＡＮ通信部６による通信を可能に設定されていれば、ステップ１０３での判断がＹＥＳになり、ステップ１０４に進み、第２携帯電話機４が無線ＬＡＮ部６による通信を可能に設定されていなければ、ステップ１０３での判断がＮＯになり、ステップ１０９に進む。
【００３１】
ステップ１０４では、第２携帯電話機４が外部の携帯電話機としての例えば第１携帯電話機１の無線ＬＡＮ通信部３から通信を待ち受ける状態になり、ステップ１０５に進む。ステップ１０５では、外部からの無線ＬＡＮのアクセスの有無を判断する。外部からの無線ＬＡＮのアクセスが検出されなければ、ステップ１０５での判断がＮＯになり、ステップ１０４に戻り、外部の携帯電話機としての第１携帯電話機１の無線ＬＡＮ通信部３からのアクセスが検出されると、ステップ１０５での判断がＹＥＳになり、ステップ１０６に進む。ステップ１０６では、ユーザー認証の認証結果として第１携帯電話機１と第１通信網８を運営する通信業者との通信に対する契約が成立しているかを判断する。ユーザー認証の認証結果として第１携帯電話機１と第１通信網８を運営する通信業者との通信に対する契約が成立していれば、ステップ１０６での判断がＹＥＳになり、ステップ１０７に進み、ユーザー認証の認証結果として第１携帯電話機１と第１通信網８を運営する通信業者との通信に対する契約が成立していなければ、ステップ１０６での判断がＮＯになり、ステップ１０８に進む。ステップ１０７では、第２携帯電話機４が第１携帯電話機１とインターネット１８を経由するＩＳＰ１９との通信を中継する。これにより、外部の携帯電話機としての第１携帯電話機１が第２携帯電話機４の無線ＬＡＮ通信部６と無線電話通信部５によるデータ通信と第１通信網８とインターネット１８とを経由してＩＳＰ１９に接続され、第１携帯電話機１とＩＳＰ１９とのデータ通信が実行される。ステップ１０８では、無線ＬＡＮ通信部６による通信をできないように無線ＬＡＮ通信部６の動作を禁止し、ステップ１０４に戻る。
【００３２】
一方、ステップ１０９では、第２携帯電話機４が無線電話通信部５による自機の通話又はデータ通信に対する通信を待ち受ける状態になり、ステップ１１０に進む。ステップ１１０では、自機の通信の状態を判断する。第２携帯電話機４の無線電話通信部５が通話又はデータ通信を発信しない場合又は無線基地局１３からの一斉呼び出しが第２携帯電話機４の無線電話通信部５に着信しない場合は、ステップ１１０での判断がＮＯになり、ステップ１０９に戻り、第２携帯電話機４の無線電話通信部５が通話又はデータ通信を発信した場合又は無線基地局１３からの一斉呼び出しが第２携帯電話機４の無線電話通信部５に着信した場合は、ステップ１１０での判断がＹＥＳになり、ステップ１１１に進む。ステップ１１１では、第２携帯電話機４の無線電話通信部５と第１通信網８とによる通話又はデータ通信が実行される。
【００３３】
図５を参照し、実施の形態に係る通信装置の通信工程ついて説明する。第１携帯電話機１の無線ＬＡＮ通信部３と第２携帯電話機４の無線ＬＡＮ通信部６とが互いに接続された状態において、第１段階の工程として、通信回線６１で示すように、第１携帯電話機１の無線ＬＡＮ通信部３が無線ＬＡＮ通信認証要求を第２携帯電話機４に発信する。第２段階の工程として、通信回線６２で示すように、第２携帯電話機４の無線ＬＡＮ通信部６が第１携帯電話機１から発信された無線ＬＡＮ通信認証要求を受信して第２通信網１２に発信する。第３段階の工程として、通信回線６３で示すように、第２通信網１２の制御局１４が第２携帯電話機４から発信された無線ＬＡＮ通信認証要求を受信して第１通信網８に発信する。
【００３４】
上記第２通信網１２から発信された無線ＬＡＮ通信認証要求を受信した第１通信網８の制御局１０は、第４段階の工程として、通信回線６４で示すように、受信した無線ＬＡＮ通信認証要求に含まれたユーザー認証に必要なＩＰアドレスのような情報に基づき通信に対する契約が成立しているか否かを管理サーバー１１に確認してその結果を認証結果通知として第２通信網１２に返信する。この第２通信網１２の制御局１４が第１通信網８から返信された認証結果通知を受信し、その受信した認証結果通知が第１携帯電話機１と第１通信網８を運営する通信業者との通信に対する契約の成立していないことを示す場合には、制御局１４は第１携帯電話機１の無線ＬＡＮ通信部３と第２携帯電話機４の無線ＬＡＮ通信部６とが互いに接続された状態を解除する通信解除の通知を第２携帯電話機４に発信する。
【００３５】
一方、上記受信した認証結果通知が第１携帯電話機１と第１通信網８を運営する通信業者との通信に対する契約の成立していることを示す場合には、第５段階の工程として、通信回線６５で示すように、制御局１４は無線ＬＡＮ通信認証要求に含まれたデータ通信の検索情報に対応する情報の提供をデータ通信提供としてＩＳＰ１９から受信すると共に受信したデータ通信のトラフィック量を計算して管理サーバー１５に出力し、管理サーバー１５がトラフィック量と第１携帯電話機１のＩＰアドレスと日時と対応させて記録する。第６段階の工程として、通信回線６６で示すように、第２通信網１２の制御局１４はＩＳＰ１９から受信したデータ通信提供を第２携帯電話機４に発信する。第２携帯電話機４の無線電話通信部５が制御局１４から発信されたデータ通信提供を受信すると、第７段階の工程として、通信回線６７で示すように、第２携帯電話機４の無線ＬＡＮ通信部６が受信したデータ通信提供を無線ＬＡＮ通信提供として第１携帯電話機１に発信する。
【００３６】
又、第８段階の工程として、通信回線６８で示すように、第２通信網１２の制御局１４は、管理サーバー１５から記録されたトラフィック量と第１携帯電話機１のＩＰアドレスと日時とを抽出してトラフィック量通知として第１通信網８に発信する。第９段階の工程として、通信回線６９で示すように、第１通信網８の制御局１０が受信したトラフィック量通知に基づき第１携帯電話機１の所持者に利用料請求を通知する。第１０段階の工程として、通信回線７０で示すように、第１携帯電話機１の所持者が第１通信網８の通信事業者に利用料を支払う。第１１段階の工程として、通信回線７１で示すように、第１通信網８の通信事業者が第２通信網１２の通信事業者に利用料を支払う。第１２段階の工程として、通信回線７２で示すように、第２通信網１２の通信事業者が第２携帯電話機４の所持者に利用料を支払う。
【００３７】
尚、第８段階乃至第１２段階の工程は、第１通信網８を運営する通信事業者と第２通信網１２を運営する通信事業者とが双方の間で定めた月ごとのような通信料金の請求単位期間ごとに行われる。又、通信回線７２による第２通信網１２から第２携帯電話機４の所持者への利用料支払は、当該利用料支払に相当するポイントサービスであってもよい。ポイントサービスは、第２通信網１２を運営する通信事業者が利用料に応じた点数を第２携帯電話機４の所持者に支払い、その累積した点数により第２通信網１２を運営する通信事業者が景品又は通信料の値引きを第２携帯電話機４の所持者に提供するサービスである。
【００３８】
尚、図１、第１通信網８の制御局１０と第２通信網１２の制御局１４とを図外の専用線で接続してもよい。専用線は、ある特定の二地点間を無線又は有線で結ぶ専用回線である。専用線で制御局１０；１４を接続した場合でも、制御局１４がＩＳＰ１９からデータを取得する必要があるので、制御局１４がインターネット１８に接続されていることは必要であり、専用線では図８に示す通信回線６３；６４；６８；７１による通信が行われる。
【符号の説明】
【００３９】
１は第１携帯電話機、２は無線電話通信部、３は無線ＬＡＮ通信部、４は第２携帯電話機、５は無線電話通信部、６は無線ＬＡＮ通信部、７は無線ＬＡＮ設定手段、８は第１通信網、９は無線基地局、１０は制御局、１１は管理サーバー、１２は第２通信網、１３は無線基地局、１４は制御局、１５は管理サーバー、１６；１７は通信経路、１８はインターネット、１９はＩＳＰ、２０は欠番、２１はバッテリー、２２は電源スイッチ、２３はマイクロホン、２４はスピーカー、２５はキーボード、２６はディスプレイ、２７はフラッシュメモリー、２８は制御部、２９はＣＰＵ、３０はＲＯＭ、３１はＲＡＭ、３２乃至４０は欠番、４１はバッテリー、４２は電源スイッチ、４３はマイクロホン、４４はスピーカー、４５はキーボード、４６はディスプレイ、４７はフラッシュメモリー、４８は制御部、４９はＣＰＵ、５０はＲＯＭ、５１はＲＡＭ、５２乃至６０は欠番、６１乃至７２は通信回線。
【図１】
2013223182.tif 000003
【図２】
2013223182.tif 000004
【図３】
2013223182.tif 000005
【図４】
2013223182.tif 000006
【図５】
2013223182.tif 000007